Podtech/llm-jp-corpus-v4-ja_patent huggingface dataset:
【手続補正書】
【提出日】平成19年1月29日(2007.1.29)
【手続補正１】
【補正対象書類名】特許請求の範囲
【補正対象項目名】全文
【補正方法】変更
【補正の内容】
【特許請求の範囲】
【請求項１】
筐体と、
無線通信回路と、
上記筐体に対して少なくとも２箇所で連結され、かつ上記筐体との間に少なくとも１つの貫通孔が形成された誘電体材料からなるブーム部と、
上記ブーム部内に設けられた互いに異なる電気長を有する第１のアンテナ素子及び第２のアンテナ素子を備え、
上記第１のアンテナ素子及び上記第２のアンテナ素子は上記無線通信回路の給電点に接続され、
上記第１のアンテナ素子の電気長は上記第２のアンテナ素子の電気長よりも長く、
上記第１のアンテナ素子は上記第２のアンテナ素子よりも上記無線通信回路の接地導体から離れた位置に形成されていることを特徴とする携帯無線通信装置。
【請求項２】
互いに異なる複数のリアクタンス値をそれぞれ有する複数のリアクタンス素子と、
上記複数のリアクタンス素子を選択的に切り換えることにより１つのリアクタンス素子を選択し、上記選択されたリアクタンス素子を上記第１のアンテナ素子及び上記第２のアンテナ素子のうちの少なくとも一方に接続するスイッチ手段とをさらに備えたことを特徴とする請求項１記載の携帯無線通信装置。
【請求項３】
上記無線通信回路の給電点に接続された少なくとも１つの第３のアンテナ素子をさらに備え、
上記スイッチ手段は、上記選択されたリアクタンス素子を、第１のアンテナ素子、第２のアンテナ素子及び第３のアンテナ素子のうちの少なくとも１つに接続することを特徴とする請求項２記載の携帯無線通信装置。
【請求項４】
上記スイッチ手段は、上記携帯無線通信装置の複数の動作周波数帯に応じて、上記複数のリアクタンス素子を選択的に切り換えることを特徴とする請求項２又は３記載の携帯無線通信装置。
【請求項５】
上記スイッチ手段は、上記携帯無線通信装置の送信と受信に応じて、上記複数のリアクタンス素子を選択的に切り換えることを特徴とする請求項２又は３記載の携帯無線通信装置。
【手続補正書】
【提出日】平成19年2月28日(2007.2.28)
【手続補正１】
【補正対象書類名】特許請求の範囲
【補正対象項目名】全文
【補正方法】変更
【補正の内容】
【特許請求の範囲】
【請求項１】
多数の小素子（Ｕ１、Ｕ２、Ｕ３）と、前記小素子のそれぞれ一つに各々接続されている多数のスイッチ（Ｘ１、Ｘ２、Ｘ３）と、前記多数のスイッチを制御するプログラミング回路（６６）とを備えたモザイク型アレイであって、
前記小素子の各々が多数の超微細加工超音波トランスデューサ（ＭＵＴ）セル（２）をそれぞれ含んでおり、各々の超微細加工超音波トランスデューサ・セルが上面電極（１２）及び底面電極（１０）を含んでおり、
任意の特定の小素子を構成する前記超微細加工超音波トランスデューサ・セルの上面電極は切り離しできない複数の接続により互いに結合されており、同じ超微細加工超音波トランスデューサ・セルの底面電極は切り離しできない複数の接続により互いに結合されている、モザイク型アレイ。
【請求項２】
半導体基材（４）をさらに含んでおり、前記スイッチは前記半導体基材の内部に作製されており、前記容量型超微細加工超音波トランスデューサ（ｃＭＵＴ）セルは前記半導体基材の上に作製されている、請求項２に記載のモザイク型アレイ。
【請求項３】
多数の超小型電子スイッチにより相互接続されている多数の小素子（Ｕ１、Ｕ２、Ｕ３）と、それぞれの円環状素子を形成するように選択された小素子を相互接続するプログラミング手段（６８）を備えた超音波トランスデューサ・アレイであって、各々の小素子が多数の超微細加工超音波トランスデューサ（ＭＵＴ）セルをそれぞれ含んでおり、特定の小素子内の各々の超微細加工超音波トランスデューサ・セルが切り離しできない複数の接続により互いに結線されている、超音波トランスデューサ・アレイ。
【請求項４】
前記それぞれの素子は、電子的に形成される円環状アレイの多数の同心円環を形成する、請求項３に記載のアレイ。
【請求項５】
前記小素子は送波時には第一の構成で相互接続され、受波時には前記第一の構成と異なる第二の構成で相互接続される、請求項３に記載のアレイ。
【手続補正書】
【提出日】平成19年2月23日(2007.2.23)
【手続補正１】
【補正対象書類名】特許請求の範囲
【補正対象項目名】全文
【補正方法】変更
【補正の内容】
【特許請求の範囲】
【請求項１】
サブ画像を生成するために画像に対応する画像データを修正し、前記サブ画像はサーバにより既に制御された画像データの修正を表し、
圧縮されたサブ画像を生成するために、サブ画像を圧縮し、
画像に対応する圧縮されたデータと結合するために、圧縮されたサブ画像をサーバへアップロードする、方法。
【請求項２】
更に、前記圧縮されたサブ画像と前記サーバに記憶された前記画像を結合することを含む、請求項１に記載の方法。
【請求項３】
前記圧縮されたサブ画像と前記サーバに記憶された前記画像を結合することは、アップロードされたタイルについて全タイル部分を置きかえることを含む、請求項２に記載の方法。
【請求項４】
前記圧縮されたサブ画像と前記サーバに記憶された前記画像を結合することは、アップロードされたプレシンクトで全プレシンクトを置きかえることを含む、請求項２に記載の方法。
【請求項５】
前記サブ画像は低解像度画像であり、そして、前記圧縮されたサブ画像をアップロードすることは第１の通信リンクを使用して実行され、そして、更に、前記第１の通信リンクより高い帯域幅を有する第２の通信リンクを使用して前記圧縮したサブ画像をアップロードした後に前記サブ画像のより高い解像度版をアップロードすることを含む、請求項１に記載の方法。
【請求項６】
サブ画像を生成するために画像に対応する画像データを修正する手段を有し、前記サブ画像はサーバにより既に制御された画像データの修正を表し、
圧縮されたサブ画像を生成するために、サブ画像を圧縮する手段を有し、
画像に対応する圧縮されたデータと結合するために、圧縮されたサブ画像をサーバへアップロードする手段を有する、装置。
【請求項７】
第１の解像度で画像に対応するタイル部分を受信し、
編集されるべき前記画像内の領域を識別し、
前記領域についての前記画像の最大解像度版に関連する画像データについての要求を発行し、
最大解像度での前記領域の生成を可能とするのに必要なそれらの追加のタイル部分のみを受信し、
前記領域内の最大解像度データの１つ又はそれ以上のタイルを編集し、
少なくとも１つ又はそれ以上の編集されたタイルを圧縮し、
１つ又はそれ以上の圧縮された編集されたタイルに関連するタイル部分をアップロードし、前記要求は前記最大サイズ画像に関連する圧縮されたデータをアップロードすることであることを前記サーバに示すことを含む、方法。
【請求項８】
更に、第１の解像度での特定の画像についての初期要求を送ることを含む、請求項７に記載の方法。
【請求項９】
更に、前記領域を識別するために前記領域をズームインする、請求項７に記載の方法。
【請求項１０】
更に、前記第１の解像度で前記画像を表示することを含む、請求項７に記載の方法。
【請求項１１】
更に、編集前に全ての追加のタイル部分の受信を待つことを含む、請求項７に記載の方法。
【請求項１２】
サーバは、画像の圧縮版を示す追加のタイル部分を供給し、１つ又はそれ以上の編集されたタイルを圧縮することは、サーバで追加のタイル部分が圧縮されるのと同じ方法で１つ又はそれ以上の編集されたタイルを圧縮することを含む、請求項７に記載の方法。
【請求項１３】
前記要求はアップロードのためであることを示すことは、質問ストリング内にアップロードパラメータを配置することを含む、請求項７に記載の方法。
【請求項１４】
前記要求はアップロードのためであることを示すことは、要求以外を示す内容形式についてのインジケータを設定することを含む、請求項７に記載の方法。
【請求項１５】
少なくとも１つ又はそれ以上の編集されたタイルを圧縮することは、完全な画像として１つ又はそれ以上の編集されたタイルを圧縮することを含み、更に、位置の指示に前記編集された領域の完全な画像を供給することを含む、請求項７に記載の方法。
【請求項１６】
サーバは、全体の画像に対応する符号ストリームの圧縮されたデータの一部分を第１の要求に応じてクライアントへ送り、
前記サーバは、前記クライアントから第２の要求を受信し、
前記サーバは、前記第２の要求がアップロード要求であることを決定し、
前記サーバは、第３の要求の圧縮されたデータと前記全体の画像についての符号ストリームを結合する、方法。
【請求項１７】
更に、
クライアントがアップロードすることを認可されているかを決定し、
クライアントがアップロードすることを認可されている場合にのみ、第３の要求のタイル部分をアップロードする、
ことを含む、請求項１６に記載の方法。
【請求項１８】
更に、
第２の要求の一部である全体の画像のファイル内にサーバが記憶している全てのタイル部分を除去し、そして、第２の要求の一部であるタイル部分を前記サーバにより既に記憶された残りのタイル部分と結合する、
ことを含む、請求項１６に記載の方法。
【請求項１９】
前記サーバが第２の要求のタイル部分を全体の画像に対応する他のタイル部分と結合することは、第２の要求のタイル部分を前記符号ストリームの最後に追加する、
ことを含む、請求項１８に記載の方法。
【請求項２０】
前記サーバが第２の要求のタイル部分を全体の画像に対応する他のタイル部分と結合することは、第３の要求のタイル部分を含むように前記符号ストリームを書き直す、
ことを含む、請求項１８に記載の方法。
【請求項２１】
更に、
前記サーバは、前記クライアントへ送られたタイル部分のリストを維持することを含む、
請求項１６に記載の方法。
【請求項２２】
更に、
前記サーバは、前記クライアントが有する前記タイル部分の指示を受信し、
前記サーバは、前記指示と前記第２の要求に応じて追加のタイル部分を送る、
ことを含む、請求項１６に記載の方法。
【請求項２３】
更に、
前記第２の要求の前記タイル部分が、前記符号ストリーム内の前記タイル部分と異なる圧縮アルゴリズムで圧縮されているかどうかを決定し、
前記アップロードされたタイル部分を逆圧縮し、
前記符号ストリーム内の前記タイル部分の一部を逆圧縮し、
逆圧縮されたアプロードされたタイル部分を、前記符号ストリーム内の前記タイル部分の逆圧縮された部分と併合し、
前記併合されたタイル部分を圧縮する、
ことを含む、請求項１６に記載の方法。
【手続補正書】
【提出日】平成19年3月2日(2007.3.2)
【手続補正１】
【補正対象書類名】特許請求の範囲
【補正対象項目名】全文
【補正方法】変更
【補正の内容】
【特許請求の範囲】
【請求項１】
給電線に電磁的に結合されるスロットライン型の放射素子から構成される放射ダイバーシティアンテナであって、
前記放射素子は、木構造とされたアームから構成され、ｋを１つのアームと次のアームの間で同一又は異なる整数とし、λｓをアームを構成するスロットライン中の誘導された波長とすると、各アームはｋλｓ／２に等しい長さを有し、
前記アームのうちの少なくとも１つは、前記アームと前記給電線の間の結合をコマンドに従って制御するよう前記アームを構成するスロットライン中に配置された切換手段を有することを特徴とする、アンテナ。
【請求項２】
各アームは切換手段を有することを特徴とする、請求項１記載のアンテナ。
【請求項３】
前記切換手段は、前記スロットの開回路領域に配置されることを特徴とする、請求項１又は２記載のアンテナ。
【請求項４】
前記切換手段は、ダイオード、ダイオードとして配列されるトランジスタ、又はＭＥＭＳ（Ｍｉｃｒｏ  Ｅｌｅｃｔｒｏ  Ｍｅｃｈａｎｉｃａｌ  Ｓｙｓｔｅｍ）から構成されることを特徴とする、請求項１乃至３のうちいずれか一項記載のアンテナ。
【請求項５】
各アームの前記長さは、短絡面上に配置された挿入物によって区切られることを特徴とする、請求項１乃至４のうちいずれか一項記載のアンテナ。
【請求項６】
前記挿入物は、アーム間の接合のレベルに配置されることを特徴とする、請求項５記載のアンテナ。
【請求項７】
前記木構造は、Ｈ字型或いはＹ字型、又は、これらの形に関連する形を有することを特徴とする、請求項１乃至６のうちいずれか一項記載のアンテナ。
【手続補正書】
【提出日】平成19年3月1日(2007.3.1)
【手続補正１】
【補正対象書類名】特許請求の範囲
【補正対象項目名】全文
【補正方法】変更
【補正の内容】
【特許請求の範囲】
【請求項１】
文書画像を表す文書画像データを取得する手段と、
前記文書画像データを記憶するメモリと、
前記画像データの少なくとも１つの選択されたオーバレイ領域を表すオーバレイ設置データを取得する手段と、
前記文書画像データに関連付けられた補足情報を表すオーバレイデータを前記メモリ内に受信するオーバレイデータ入力手段と、
前記オーバレイデータを前記少なくとも１つのオーバレイ領域と選択的に関連付ける関連付け手段と、
前記文書画像データと、関連するオーバレイ領域に配置される前記オーバレイデータとを含む複合画像データを前記メモリ内で生成する生成手段と、
を備える、文書複製システム。
【請求項２】
前記オーバレイデータ入力手段は、複数の文字列変数と複数の数変数の内の少なくとも１つを含む前記オーバレイデータを受信する手段を含む請求項１記載の文書複製システム。
【請求項３】
選択されたデータを受信する手段をさらに備え、この選択されたデータは文字列変数と数変数の内の少なくとも１つと関連付けられる請求項２記載の文書複製システム。
【請求項４】
前記画像データの少なくとも１つのオーバレイ領域の位置を選択する手段をさらに備える請求項１記載の文書複製システム。
【請求項５】
前記画像データの前記少なくとも１つのオーバレイ領域のパラメータを選択する手段をさらに備える請求項４記載の文書複製システム。
【請求項６】
文書画像を表す文書画像データを取得する工程と、
前記文書画像データをメモリに記憶する工程と、
前記画像データの少なくとも１つの選択されたオーバレイ領域を表すオーバレイ設置データを取得する工程と、
前記文書画像データに関連する補足情報を表すオーバレイデータを前記メモリ内に受信する工程と、
前記オーバレイデータを前記少なくとも１つのオーバレイ領域と選択的に関連付ける工程と、
前記文書画像データと、関連するオーバレイ領域に配置される前記オーバレイデータとを含む複合画像データを、前記メモリ内で生成する工程と、
を備える文書を複製する方法。
【請求項７】
前記オーバレイ設置データを取得する工程は、複数の文字列変数と複数の数変数の少なくとも１つを含む前記オーバレイデータを受信することを含む請求項６記載の方法。
【請求項８】
選択されたデータを受信する工程をさらに備え、この選択されたデータは文字列変数と数変数の少なくとも１つと関連付けられる請求項７記載の方法。
【請求項９】
前記画像データの少なくとも１つのオーバレイ領域の位置を選択する工程をさらに備える請求項６記載の方法。
【請求項１０】
前記画像データの前記少なくとも１つのオーバレイ領域のパラメータを選択する工程をさらに備える請求項９記載の方法。
【手続補正書】
【提出日】平成19年2月16日(2007.2.16)
【手続補正１】
【補正対象書類名】特許請求の範囲
【補正対象項目名】全文
【補正方法】変更
【補正の内容】
【特許請求の範囲】
【請求項１】
第一の波長の光を放射する光エミッタと、前記光エミッタを覆う蛍光物質の層とを具備した光源であって、
前記蛍光物質が前記第一の波長の光の一部を第二の波長の光へと変換し、前記蛍光物質の層が、硬化波長の光で照射されることにより硬化する光硬化型材料中に懸濁させたパウダー状の蛍光物質を含んでいることを特徴とする光源。
【請求項２】
前記光エミッタがＬＥＤを有するものであることを特徴とする請求項１に記載の光源。
【請求項３】
前記光硬化型材料が、前記ＬＥＤを覆う前記層中の前記蛍光物質の濃度が０．５％を超えて変化するのに要する時間よりも短い時間内に硬化可能なものであることを特徴とする請求項１に記載の光源。
【請求項４】
前記光硬化型材料がエポキシ樹脂を含むものであることを特徴とする請求項１に記載の光源。
【請求項５】
前記硬化波長の前記光によって前記光硬化型材料が照射される前に前記パウダー状蛍光物質が前記光硬化型材料中において沈殿する速度を遅くするチクソトロピー剤を、前記蛍光物質の層が更に含むことを特徴とする請求項１に記載の光源。
【請求項６】
ＬＥＤを製作する為の方法であって、
第一の波長の光を放射するＬＥＤを基板上に搭載することと、
前記第一の波長の光を第二の波長の光へと変換する蛍光物質のパウダーを、硬化波長の光を照射した場合に硬化する光硬化型材料中に懸濁させることと、
前記ＬＥＤを前記懸濁させた光硬化型材料で覆うことと、
前記光硬化型材料を前記硬化波長で照射することと、
を有することを特徴とする方法。
【請求項７】
前記光硬化型材料が、前記ＬＥＤ上にある前記蛍光物質の層中の前記蛍光物質の濃度が０．５％を超えて変化するのに要する時間よりも短い時間内で硬化可能なものであることを特徴とする請求項６に記載の方法。
【請求項８】
前記光硬化型材料がエポキシ樹脂を含むことを特徴とする請求項６に記載の方法。
【請求項９】
前記硬化波長の前記光を前記光硬化型材料に照射する前に前記パウダー状蛍光物質が前記光硬化型材料中において沈殿する速度を遅くするチクソトロピー剤を前記光硬化型材料が更に含むことを特徴とする請求項６に記載の方法。
【手続補正書】
【提出日】平成19年5月28日(2007.5.28)
【手続補正１】
【補正対象書類名】明細書
【補正対象項目名】特許請求の範囲
【補正方法】変更
【補正の内容】
【特許請求の範囲】
【請求項１】車載原動機の一時停止・始動機能を備える車両に搭載された自動変速機にあってそのシフト操作部を通じたシフト操作に応じてパーキングポジションを含む実際のシフトポジションを電気的に制御するシフト制御装置において、
前記原動機の一時停止・始動機能による原動機の一時停止中、自動始動しない方が良い条件のもとに前記実際のシフトポジションをパーキングポジションに強制制御して且つ、前記原動機の始動を禁止する制御手段を備えることを特徴とするシフト制御装置。
【請求項２】前記パーキングポジションを含むシフトポジションの切り替えがパーキングポジションを含むマニュアルバルブ系を通じて行われる請求項１記載のシフト制御装置。
【請求項３】前記シフトポジションを前記パーキングポジションに強制制御したときにその旨を通知する通知手段を更に備える請求項１又は２記載のシフト制御装置。
【請求項４】請求項１〜３のいずれかに記載のシフト制御装置において、
前記原動機が内燃機関であるとともに、同内燃機関の吸気負圧を利用してフットブレーキのアシスト力を発生するブレーキアシスト機構、及び同ブレーキアシスト機構のアシスト力を検出するアシスト検出手段を備え、
前記自動始動しない方が良い条件が、前記シフト操作部がニュートラルポジションに操作されているときに前記アシスト検出手段によってアシスト力が不十分であることが検出される条件であることを特徴とするシフト制御装置。
【請求項５】請求項１〜３のいずれかに記載のシフト制御装置において、
前記車両のフットブレーキの踏み込みを検出するブレーキ検出手段を備え、
前記自動始動しない方が良い条件が、前記シフト操作部がニュートラルポジションに操作されているときに前記ブレーキ検出手段によってブレーキの踏み込みが解除されたことが検出される条件であることを特徴とするシフト制御装置。
【請求項６】車載原動機の一時停止・始動機能を備える車両に搭載された自動変速機にあってそのシフト操作部を通じたシフト操作に応じてパーキングポジションを含む実際のシフトポジションを電気的に制御するシフト制御装置において、
前記原動機の一時停止・始動機能による原動機の一時停止中であって運転者の走行意思がない旨を判断したときに、前記実際のシフトポジションをパーキングポジションに強制制御する制御手段を備えることを特徴とするシフト制御装置。
【請求項７】請求項６に記載のシフト制御装置において、
前記シフトポジションがニュートラルポジションにあることを条件に、運転者の走行意思がない旨を判断することを特徴とするシフト制御装置。
【請求項８】請求項６に記載のシフト制御装置において、
運転者が運転席に着座していないことを条件に、運転者の走行意思がない旨を判断することを特徴とするシフト制御装置。
【手続補正２】
【補正対象書類名】明細書
【補正対象項目名】００２０
【補正方法】変更
【補正の内容】
【００２０】
上記構成では、シフト操作部がニュートラルポジションに操作されているにもかかわらず、前記ブレーキ検出手段によってブレーキの踏み込みが解除されたことが検出されたときに、パーキングポジションへの強制制御がなされ、且つ内燃機関の再始動制御が禁止される。これにより、ニュートラルポジションへの操作によって運転者が走行の意志を示していないにもかかわらず、内燃機関を再始動させることで燃料消費率を悪化させるおそれを回避することができるようになる。しかも、パーキングポジションへの強制制御がなされるために、運転者が姿勢を変えるなどすることで、一時的にフットブレーキの踏み込みが解除されるとしても、車両を好適に制動制御することができるようになる。
請求項６に記載の発明は、車載原動機の一時停止・始動機能を備える車両に搭載された自動変速機にあってそのシフト操作部を通じたシフト操作に応じてパーキングポジションを含む実際のシフトポジションを電気的に制御するシフト制御装置において、前記原動機の一時停止・始動機能による原動機の一時停止中であって運転者の走行意思がない旨を判断したときに、前記実際のシフトポジションをパーキングポジションに強制制御する制御手段を備えることをその要旨とする。
上記構成では、原動機の一時停止・始動機能による原動機の一時停止中であって運転者の走行意思がない旨を判断したときに、前記実際のシフトポジションをパーキングポジションに強制制御するようにしている。これにより、不要に原動機を再始動することでエネルギ消費率を悪化させることがなくなり、原動機の一時停止制御によるエネルギ消費率の向上の効果を一層好適に奏することのできるようになる。
請求項７に記載の発明は、請求項６に記載のシフト制御装置において、前記シフトポジションがニュートラルポジションにあることを条件に、運転者の走行意思がない旨を判断することをその要旨とする。
請求項８に記載の発明は、請求項６に記載のシフト制御装置において、運転者が運転席に着座していないことを条件に、運転者の走行意思がない旨を判断することをその要旨とする。
【手続補正書】
【提出日】平成19年6月8日(2007.6.8)
【手続補正１】
【補正対象書類名】明細書
【補正対象項目名】請求項１
【補正方法】変更
【補正の内容】
【請求項１】  基板中に酸化膜を介した接合面を有する半導体基板と、前記半導体基板に接合された台座部とを備えた半導体センサにおいて、
前記台座部には、少なくとも前記半導体センサの使用温度範囲において、温度変化に対するその線膨張係数の変化量が前記半導体基板の同変化量と略同等である材質を用いたことを特徴とする半導体センサ。
【手続補正２】
【補正対象書類名】明細書
【補正対象項目名】０００９
【補正方法】変更
【補正の内容】
【０００９】
【課題を解決するための手段】
請求項１に記載の半導体センサは、基板中に酸化膜を介した接合面を有する半導体基板と、半導体基板に接合された台座部とを備えた半導体センサにおいて、台座部には、少なくとも半導体センサの使用温度範囲において、温度変化に対するその線膨張係数の変化量が半導体基板の同変化量と略同等である材質を用いたことを特徴としている。
【手続補正書】
【提出日】平成19年10月4日(2007.10.4)
【手続補正１】
【補正対象書類名】明細書
【補正対象項目名】特許請求の範囲
【補正方法】変更
【補正の内容】
【特許請求の範囲】
【請求項１】  通常の運転モードの他に、展示用の運転モードであるデモンストレーションモードを備えた空気調和機において、
前記デモンストレーションモードを記憶する記憶素子を設け、
前記記憶素子に記憶したデモンストレーションモードは、空気調和機の室内機と室外機が電気的に結線され、正常なシリアル通信でＯＮ状態になると、前記デモンストレーションモードが解消され、再度商用電源に差込みプラグを接続しても、前記デモンストレーションモードが再復帰しないことを特徴とする空気調和機。
【請求項２】  通常の運転モードの他に、展示用の運転モードであるデモンストレーションモードを備えた空気調和機において、
前記デモンストレーションモードを記憶する記憶素子を設け、
工場出荷時に、前記記憶素子にデモンストレーションモードを記憶させ、
出荷後、空気調和機の室内機と室外機が電気的に結線され、正常なシリアル通信でＯＮ状態になると、前記デモンストレーションモードが解消され、再度商用電源に差込みプラグを接続しても、前記デモンストレーションモードが再復帰しないことを特徴とする空気調和機。
【請求項３】  通常の運転モードの他に、展示用の運転モードであるデモンストレーションモードを備えた空気調和機において、
前記デモンストレーションモードを記憶する記憶素子を設け、
工場出荷時に、前記記憶素子にデモンストレーションモードを記憶させ、
出荷後、空気調和機の室内機と室外機が電気的に結線され、正常なシリアル通信でＯＮ状態になると、前記記憶素子から前記デモンストレーションモードの記憶を消去することを特徴とする空気調和機。
【手続補正２】
【補正対象書類名】明細書
【補正対象項目名】００１０
【補正方法】変更
【補正の内容】
【００１０】
【課題を解決するための手段】
上記目的を達成するために、通常の運転モードの他に、展示用の運転モードであるデモンストレーションモードを備えた空気調和機において、
前記デモンストレーションモードを記憶する記憶素子を設け、
前記記憶素子に記憶したデモンストレーションモードは、空気調和機の室内機と室外機が電気的に結線され、正常なシリアル通信でＯＮ状態になると、前記デモンストレーションモードが解消され、再度商用電源に差込みプラグを接続しても、前記デモンストレーションモードが再復帰しないことを特徴とする。
この構成によると、簡単にデモモードにすることが出来、デモモードが解消されたら、再度デモモードは復帰しない。
【手続補正３】
【補正対象書類名】明細書
【補正対象項目名】００１１
【補正方法】変更
【補正の内容】
【００１１】
また、通常の運転モードの他に、展示用の運転モードであるデモンストレーションモードを備えた空気調和機において、
前記デモンストレーションモードを記憶する記憶素子を設け、
工場出荷時に、前記記憶素子にデモンストレーションモードを記憶させ、
出荷後、空気調和機の室内機と室外機が電気的に結線され、正常なシリアル通信でＯＮ状態になると、前記デモンストレーションモードが解消され、再度商用電源に差込みプラグを接続しても、前記デモンストレーションモードが再復帰しないことを特徴とする。
この構成によると、工場出荷時に、デモモードになっているので、店頭で、簡単にデモモードにすることが出来、デモモードが解消されたら、再度デモモードは復帰しない。
【手続補正４】
【補正対象書類名】明細書
【補正対象項目名】００１２
【補正方法】変更
【補正の内容】
【００１２】
また、通常の運転モードの他に、展示用の運転モードであるデモンストレーションモードを備えた空気調和機において、
前記デモンストレーションモードを記憶する記憶素子を設け、
工場出荷時に、前記記憶素子にデモンストレーションモードを記憶させ、
出荷後、空気調和機の室内機と室外機が電気的に結線され、正常なシリアル通信でＯＮ状態になると、前記記憶素子から前記デモンストレーションモードの記憶を消去することを特徴とする。
この構成によると、工場出荷時に、デモモードになっているので、店頭で、簡単にデモモードにすることが出来、記憶素子からデモモードの記憶が消去されるので、再度デモモードは復帰しない。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正書】
【提出日】平成19年10月25日(2007.10.25)
【手続補正１】
【補正対象書類名】特許請求の範囲
【補正対象項目名】全文
【補正方法】変更
【補正の内容】
【特許請求の範囲】
【請求項１】
１つの入力電圧から１つの出力電圧を生成するための１つの電圧調整器であって、
それぞれ１つの極性を有する１つの第１巻線と１つの第２巻線とを含み、前記第１巻線と前記第２巻線とが直列に接続されて１つの共通ノードを形成し、前記第１巻線と前記第２巻線とが同じ極性を有し、前記第１巻線と前記第２巻線との１つの結合係数が少なくとも０．９９である少なくとも１つの結合インダクタと、
前記入力電圧を前記少なくとも１つの結合インダクタに１つのスイッチング周波数で制御可能に導通するべく、１つのオン状態と１つのオフ状態とを有する１つの導通スイッチと、
１つのオン状態と１つのオフ状態とを有し、前記導通スイッチが前記オフ状態のときに１つの電流経路を設けるために前記少なくとも１つの結合インダクタの前記共通ノードにつながっている１つのフリーホイーリングスイッチと、
を備え、
前記第１巻線が１つの巻数Ｎ１を有し、前記第２巻線が１つの巻数Ｎ２を有し、
Ｎ１／Ｎ２として定義される巻数比が少なくとも２である、電圧調整器。
【請求項２】
前記巻数比が約２である、請求項１に記載の電圧調整器。
【請求項３】
前記結合インダクタが磁気材料でできた単一コア上に形成されている、請求項１に記載の電圧調整器。
【請求項４】
前記出力電圧をフィルタリングするために前記少なくとも１つの結合インダクタにつながっている１つの出力コンデンサをさらに備える、請求項１に記載の電圧調整器。
【請求項５】
前記導通スイッチが個別に制御可能な複数の並列スイッチを備える、請求項１に記載の電圧調整器。
【請求項６】
前記導通スイッチを制御するために１つのマルチレベルゲートドライブをさらに備える、請求項１に記載の電圧調整器。
【請求項７】
前記フリーホイーリングスイッチが、複数の一方向スイッチと、複数の双方向スイッチと、複数のダイオードと、複数の整流器と、複数の同期整流器と、複数のＦＥＴと、ＮＭＯＳと、ＰＭＯＳと、複数のＢＪＴと、複数のＩＧＢＴとから成る群から選択される、請求項１に記載の電圧調整器。
【請求項８】
前記電圧調整器に並列接続されている別の電圧調整器を少なくとも１つさらに備える、請求項１に記載の電圧調整器。
【請求項９】
前記導通スイッチが、複数の電界効果トランジスタ（ＦＥＴ）と、ＮＭＯＳと、ＰＭＯＳと、複数のバイポーラ接合トランジスタ（ＢＪＴ）と、複数の統合ゲート・バイポーラ接合トランジスタ（ＩＧＢＴ）とから成る群から選択される、請求項１に記載の電圧調整器。
【請求項１０】
前記複数の電圧調整器の１つの位相シーケンスを制御するために前記複数の電圧調整器のそれぞれにつながっている１つの位相発生器をさらに備える、請求項１０に記載の電圧調整器。
【請求項１１】
前記出力電圧が１つの所定の大きさに調整されるように、前記導通スイッチの前記オン状態にある時間を制御するための１つの制御装置をさらに備える、請求項１に記載の電圧調整器。
【請求項１２】
前記フリーホイーリングスイッチが前記導通スイッチより低い１つの耐電圧を有する、
請求項１に記載の電圧調整器。
【請求項１３】
前記フリーホイーリングスイッチと前記導通スイッチとが複数の電界効果トランジスタであり、前記フリーホイーリングスイッチが前記導通スイッチより低い１つのＲｄｓ（ｏｎ）を有する、請求項１に記載の電圧調整器。
【手続補正書】
【提出日】平成19年3月30日(2007.3.30)
【手続補正１】
【補正対象書類名】特許請求の範囲
【補正対象項目名】全文
【補正方法】変更
【補正の内容】
【特許請求の範囲】
【請求項１】
遊技球を供給するための供給機構を備えた遊技機設置島に設置される遊技機であって、
前記供給機構から供給された遊技球を貯留可能なタンクと、
遊技球を払出可能な払出装置と、
前記タンクから導出される遊技球を前記払出装置へと導く誘導部材とを備え、
前記タンクは、当該タンク内に貯留された遊技球を前記誘導部材へと導出する第１導出口及び第２導出口を備えるとともに、
前記第１導出口に向けて下方傾斜する第１傾斜部と、前記第２導出口に向けて下方傾斜する第２傾斜部とを備えたことを特徴とする遊技機。
【請求項２】
前記第１傾斜部と前記第２傾斜部とは、傾斜方向が互いに平行するようにして隣接し、
前記第１傾斜部は、前記第２傾斜部とは逆向きに傾いていることを特徴とする請求項１に記載の遊技機。
【請求項３】
前記タンクは、前記第１貯留領域と第２貯留領域との境界部において、
前記第１傾斜部の上流側において、前記第１傾斜部から前記第２傾斜部への遊技球の移動を規制する第１仕切部と、
前記第２傾斜部の上流側において、前記第２傾斜部から前記第１傾斜部への遊技球の移動を規制する第２仕切部とを備えるとともに、
水平方向から見て前記第１傾斜部の傾斜面と前記第２傾斜部の傾斜面とが交差する位置において、前記第１傾斜部と前記第２傾斜部との間を遊技球が通行可能な通行部を有する
ことを特徴とする請求項２に記載の遊技機。
【手続補正書】
【提出日】平成19年3月13日(2007.3.13)
【手続補正１】
【補正対象書類名】特許請求の範囲
【補正対象項目名】全文
【補正方法】変更
【補正の内容】
【特許請求の範囲】
【請求項１】
被検体の内部に導入されて、被検体内情報を取得する被検体内導入装置に対して、前記被検体の外部から電力を供給する電力供給装置において、
前記被検体を被覆する衣類の周面に前記被検体の体の中心線に対して対称的に巻回され、互いに交差する２つの給電用コイルと、
前記２つの給電用コイルを介して非接触で前記被検体内導入装置に電力を供給する電力供給手段と、
を備えたことを特徴とする電力供給装置。
【請求項２】
前記２つの給電用コイルは、
前記衣類を装着した前記被検体の右肩と左腰とを通る螺旋状のループを形成する第１のコイルと、
前記衣類を装着した前記被検体の左肩と右腰とを通る螺旋状のループを形成する第２のコイルと、
からなることを特徴とする請求項１に記載の電力供給装置。
【請求項３】
コイルを形成する導電線が配設された保持手段をさらに備え、
少なくとも１つの前記保持手段は、前記衣類または前記被検体へ装着され、
前記電力供給手段は、前記２つの給電用コイルと前記少なくとも一つの保持手段のコイルとを介して非接触で前記被検体内導入装置に電力を供給することを特徴とする請求項１に記載の電力供給装置。
【請求項４】
前記衣類は、被り型の衣類であることを特徴とする請求項１に記載の電力供給装置。
【請求項５】
前記衣類は、ベストであることを特徴とする請求項１に記載の電力供給装置。
【請求項６】
前記衣類に配設され、前記被検体内導入装置によって無線送信された前記被検体内情報を受信する受信アンテナをさらに備えたことを特徴とする請求項１に記載の電力供給装置。
【請求項７】
前記衣類に配設され、前記被検体内導入装置に対するコントロール信号を送信する送信アンテナを備えたことを特徴とする請求項１に記載の電力供給装置。
【請求項８】
前記給電用コイルは、前記被検体内導入装置に対するコントロール信号を送信する送信アンテナであることを特徴とする請求項７に記載の電力供給装置。
【請求項９】
前記衣類の内周面に上下に巻回されて配設される上下方向のコイルをさらに備え、
前記電力供給手段は、少なくとも前記２つの給電用コイルと前記上下方向のコイルとを介して非接触で前記被検体内導入装置に電力を供給することを特徴とする請求項１に記載の電力供給装置。
【請求項１０】
前記保持手段に配設されたコイルは、所定のシート部材に貼り合わせて形成されることを特徴とする請求項３に記載の電力供給装置。
【請求項１１】
前記シート部材は、一面に粘着性を有することを特徴とする請求項１０に記載の電力供給装置。
【請求項１２】
被検体の内部に導入されて、被検体内情報を取得する被検体内導入装置に対して、前記被検体の外部から電力を供給する電力供給装置用の給電用コイルにおいて、
当該給電用コイルは、螺旋状のループを形成する導電線を所定の粘着面に貼り合わせて形成されることを特徴とする電力供給装置用の給電用コイル。
【請求項１３】
当該給電用コイルは、前記被検体に装着されるシート部材の前記粘着面に貼り合わせて形成されることを特徴とする請求項１２に記載の電力供給装置用の給電用コイル。
【手続補正書】
【提出日】平成19年2月21日(2007.2.21)
【手続補正１】
【補正対象書類名】特許請求の範囲
【補正対象項目名】全文
【補正方法】変更
【補正の内容】
【特許請求の範囲】
【請求項１】
構造物に取り付けられる構造物取付器具と、構造物に布設される垂直バスダクトに取り付けられるバスダクト取付器具とで垂直バスダクトを支持するバスダクト支持装置であって、バスダクト取付器具を構造物取付器具に水平偏移可能に取り付ける取付部、若しくは構造物取付器具を構造物に水平偏移可能に取り付ける取付部を備えることを特徴とするバスダクト支持装置。
【請求項２】
構造物に取り付けられる構造物取付器具と、構造物に布設される垂直バスダクトに取り付けられる第１のバスダクト取付器具と、構造物取付器具と第１のバスダクト取付器具とに取り付けられる第２のバスダクト取付器具とで垂直バスダクトを支持するバスダクト支持装置であって、第１のバスダクト取付器具を第２のバスダクト取付器具に水平偏移可能に取り付ける取付部、若しくは第２のバスダクト取付器具を構造物取付器具に水平偏移可能に取り付ける取付部、若しくは構造物取付器具を構造物に水平偏移可能に取り付ける取付部を備えることを特徴とするバスダクト支持装置。
【請求項３】
第１のバスダクト取付器具を第２のバスダクト取付器具に水平偏移可能に取り付ける第１の取付部と、第２のバスダクト取付器具を構造物取付器具に水平偏移可能に取り付ける第２の取付部とを備え、第１の取付部と第２の取付部の水平偏移する方向が異なることを特徴とする請求項２記載のバスダクト支持装置。
【請求項４】
前記取付部が、長孔に連結部材を挿通され、該連結部材の長孔内の移動で水平偏移可能とするものであることを特徴とする請求項１、２又は３記載のバスダクト支持装置。
【請求項５】
前記バスダクト取付器具を構造物取付器具に水平偏移可能に取り付ける取付部が、構造物取付器具に略後部が軸支される梃子と、垂直バスダクトを挟持する挟持部材と、挟持部材で構成される長孔と梃子の略前部に設けられている挿通孔に挿通される連結部材とで構成されることを特徴とする請求項１、２、３又は４記載のバスダクト支持装置。
【請求項６】
構造物に取り付けられる構造物取付器具と、構造物に布設される垂直バスダクトに取り付けられる第１のバスダクト取付器具と、構造物取付器具と第１のバスダクト取付器具とに取り付けられる第２のバスダクト取付器具とで垂直バスダクトを支持するバスダクト支持装置であって、第１のバスダクト取付器具を第２のバスダクト取付器具に水平偏移可能に取り付ける第１の取付部と、第２のバスダクト取付器具を構造物取付器具に該第１の取付部と異なる方向へ水平偏移可能に取り付ける第２の取付部とを備え、該第１の取付部と第２の取付部が、それぞれ長孔に連結部材を挿入され、該連結部材の長孔内の移動で水平偏移可能とするものであることを特徴とするバスダクト支持装置。
【請求項７】
構造物に取り付けられる構造物取付器具と、構造物に布設される垂直バスダクトに取り付けられるバスダクト取付器具とで垂直バスダクトを支持するバスダクト支持装置であって、バスダクト取付器具を、締着具の締め付けで垂直バスダクトを取付具により挟持し、該垂直バスダクトに対する該締着具の締め付け位置を保持具で保持する構成とすることを特徴とするバスダクト支持装置。
【手続補正書】
【提出日】平成19年3月29日(2007.3.29)
【手続補正１】
【補正対象書類名】特許請求の範囲
【補正対象項目名】全文
【補正方法】変更
【補正の内容】
【特許請求の範囲】
【請求項１】
粘着テープと粘着テープの面上に保持される突起物支持体とからなる健康刺激体であって、該突起物支持体は表面に少なくとも１個以上の突起が配置されてなることを特徴とする健康刺激体。
【請求項２】
上記突起が、人体に密接接触するように上記突起物支持体上に直接的に形成されたものであることを特徴とする請求項１に記載の健康刺激体。
【請求項３】
上記突起物が、茸状で人体皮膚に接触する突起と、支持体に設けられた少なくとも１個のはめ込み小孔に嵌合するための基礎部とから構成されており、且つ、該はめ込み小孔に嵌合されていることを特徴とする請求項１の健康刺激体。
【請求項４】
上記突起物の素材が、各種金属、磁性体、チタン素材の各単体又はそれら金属の樹脂混合物から形成されたものであることを特徴とする請求項２又は請求項３に記載の健康刺激体。
【請求項５】
チタン素材として、高圧水中で酸素と水素の混合ガスを燃焼させ、その燃焼ガスで元素金属チタンを溶融させることによって水中に沈下した金属チタンの微粉末を使用することを特徴とする請求項２〜４のいずれかに記載の健康刺激体。
【請求項６】
上記突起物支持体が、ゴム及び合成樹脂から選ばれたエラストマー素材より形成されたものであることを特徴とする請求項１〜５のいずれかに記載の健康刺激体。
【手続補正２】
【補正対象書類名】明細書
【補正対象項目名】０００６
【補正方法】変更
【補正の内容】
【０００６】
本発明は、以下の構成を基本的特徴とする。
（１）粘着テープと粘着テープの面上に保持される突起物支持体とからなる健康刺激体であって、該突起物支持体は表面に少なくとも１個以上の突起が配置されてなることを特徴とする健康刺激体。
（２）上記突起が、人体に密接接触するように上記突起物支持体上に直接的に形成されたものであることを特徴とする（１）に記載の健康刺激体。
（３）上記突起物が、茸状で人体皮膚に接触する突起と、支持体に設けられた少なくとも１個のはめ込み小孔に嵌合するための基礎部とから構成されており、且つ、該はめ込み小孔に嵌合されていることを特徴とする（１）の健康刺激体。
（４）上記突起物の素材が、各種金属、磁性体、チタン素材の各単体又はそれら金属の樹脂混合物から形成されたものであることを特徴とする（２）又は（３）に記載の健康刺激体。
（５）チタン素材として、高圧水中で酸素と水素の混合ガスを燃焼させ、その燃焼ガスで元素金属チタンを溶融させることによって水中に沈下した金属チタンの微粉末を使用することを特徴とする（２）〜（４）のいずれかに記載の健康刺激体。
（６）上記突起物支持体が、ゴム及び合成樹脂から選ばれたエラストマー素材より形成されたものであることを特徴とする（１）〜（５）のいずれかに記載の健康刺激体。
【手続補正書】
【提出日】平成19年3月29日(2007.3.29)
【手続補正１】
【補正対象書類名】特許請求の範囲
【補正対象項目名】全文
【補正方法】変更
【補正の内容】
【特許請求の範囲】
【請求項１】
生体・臓器・組織を内から照明し、生体・臓器・組織を外から撮影する、生体・臓器・組織の観察方法。
【請求項２】
請求項１において、照明光・励起光を外部に射出する光射出部を生体・臓器・組織に導入し、光射出部から照明光・励起光を射出して生体・臓器・組織を内から照明し、生体・臓器・組織を外から撮影して生体・臓器・組織の透過像と蛍光像の少なくとも一方の光学像を取得し、取得した光学像の画像を表示装置に表示する、生体・臓器・組織の観察方法。
【請求項３】
請求項２において、生体・臓器・組織の腔に光射出部を挿入して照明する、生体・臓器・組織の観察方法。
【請求項４】
請求項２において、光射出部を生体・臓器・組織に刺して照明する、生体・臓器・組織の観察方法。
【請求項５】
請求項２において、光射出部を生体・臓器・組織に押し当てて照明する、生体・臓器・組織の観察方法。
【請求項６】
照明光・励起光を外部に射出する光射出部を生体・臓器・組織に導入し、光射出部から照明光・励起光を射出して生体・臓器・組織を内から照明し、生体・臓器・組織を外から撮影して生体・臓器・組織の蛍光像を取得し、取得した蛍光像の画像を他の画像と比較して生体・臓器・組織内の蛍光物質の量や面積の経時的変化を比較したり検討したりする、生体・臓器・組織を用いた実験方法。
【請求項７】
請求項６において、さらに生体・臓器・組織を内から撮影して生体・臓器・組織の蛍光像を取得し、生体・臓器・組織を外から撮影した蛍光像の画像と生体・臓器・組織を内から撮影した蛍光像の画像とを用いて生体・臓器・組織内の蛍光物質の量や面積の変化をミクロ的かつマクロ的に観察することによって蛍光物質の量や面積の経時変化を比較または検討する、生体・臓器・組織を用いた実験方法。
【請求項８】
請求項６において、生体・臓器・組織を外から撮影して透過像と蛍光像とを取得し、透過像の画像と蛍光像の画像とに基づいて生体・臓器・組織内の蛍光物質の位置や量や面積を検討する、生体・臓器・組織を用いた実験方法。
【請求項９】
請求項６において、生体・臓器・組織を外から撮影して蛍光像を取得し、蛍光像の画像と蛍光像の微分画像とに基づいて生体・臓器・組織内の蛍光物質の位置や量や面積を検討する、生体・臓器・組織を用いた実験方法。
【請求項１０】
請求項６において、波長が異なる複数種類の励起光で生体・臓器・組織を内から照明し、生体・臓器・組織を外から撮影して取得した複数の蛍光像の画像に基づいて生体・臓器・組織の自家蛍光を分離して生体・臓器・組織の少なくとも一つの蛍光像の画像を得ることによって生体・臓器・組織内の蛍光物質の位置や量や面積を検討する、生体・臓器・組織を用いた実験方法。
【手続補正２】
【補正対象書類名】明細書
【補正対象項目名】発明の名称
【補正方法】変更
【補正の内容】
【発明の名称】生体・臓器・組織の観察方法および生体・臓器・組織を用いた実験方法
【手続補正３】
【補正対象書類名】明細書
【補正対象項目名】０００１
【補正方法】変更
【補正の内容】
【０００１】
本発明は、生体・臓器・組織を観察する技術に関する。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】変更
【補正の内容】
【０００７】
本発明は、ひとつには、生体・臓器・組織の観察方法に向けられている。本発明の観察方法は、生体・臓器・組織を内から照明し、生体・臓器・組織を外から撮影する。
【手続補正書】
【提出日】平成19年3月15日(2007.3.15)
【手続補正１】
【補正対象書類名】明細書
【補正対象項目名】００１０
【補正方法】変更
【補正の内容】
【００１０】
本発明のやわらかい玄米または発芽米の製造方法の好ましい実施の態様について、詳細に説明する。
本発明で使用するマイクロ波加熱には次のような乾燥装置が好適である。ベルトコンベア式マイクロ波通風乾燥装置は、キャビティにベルト出入口に電波漏洩防止装置を設けたもので、マイクロ波電源装置から導波管を経て途中で２分割してキャビティ天井２箇所からマイクロ波を供給する。枠に防虫網を張った籾米を載せる架台が網目状のテフロン（登録商標）加工したガラス繊維製ベルトコンベアが取り付けられ、これがキャビティ内と系外を循環するよう設けられている。また、温湿度を調節した空気を通風ガイドに沿って吹き上げ、架台を通気し、ガイドを通り、系外で除湿、温度調節して再循環する通風装置が付設してある。マイクロ波実効出力は０、０．１２５、０．１７８、０．２５、０．５ｋＷである。品質のよい製品を得るためには、乾燥時間が長くなるがマイクロ波実行出力の低い方が好ましい。
【手続補正書】
【提出日】平成18年11月17日(2006.11.17)
【手続補正１】
【補正対象書類名】特許請求の範囲
【補正対象項目名】全文
【補正方法】変更
【補正の内容】
【特許請求の範囲】
【請求項１】
ブラックを含む複数の色成分で示される色信号に基づき出力デバイスにカラーパッチを形成させ、
前記カラーパッチを測色して得られたデバイスに従属しない色データを入力し、
前記ブラックを含む複数の色成分で示される色信号と前記測色して得られたデバイスに従属しない色データとの対応関係を求め、
ブラックを含まない３色成分で示される信号を前記ブラックを含む複数の色成分で示される色信号に変換する条件、および前記ブラックを含む複数の色成分で示される色信号と前記測色して得られたデバイスに従属しない色データとの前記対応関係に基づき、前記ブラックを含まない３色成分で示される信号と前記測色して得られたデバイスに従属しない色データとの対応関係を求め、
前記ブラックを含まない３色成分で示される色信号と前記測色して得られたデバイスに従属しない色データとの前記対応関係と、前記ブラックを含まない３色成分で示される信号を前記ブラックを含む複数の色成分で示される色信号に変換する前記条件とに基づき、デバイスに従属しない色データを前記ブラックを含む複数の色成分で示される色信号に変換する変換条件を求めることを特徴とする画像処理方法。
【請求項２】
前記ブラックを含まない３色成分で示される信号を前記ブラックを含む複数の色成分で示される色信号に変換する前記条件は、記録材量を制限するための条件であることを特徴とする請求項１記載の画像処理方法。
【請求項３】
前記デバイスに従属しない色データを前記ブラックを含む複数の色成分で示される色信号に変換する前記変換条件は、前記記録材量を制限する条件に対応した前記出力デバイスの色再現範囲に応じた色空間圧縮が考慮されていることを特徴とする請求項２記載の画像処理方法。
【請求項４】
ブラックを含む複数の色成分で示される色信号に基づき出力デバイスにカラーパッチを形成させる手段と、
前記カラーパッチを測色して得られたデバイスに従属しない色データを入力する手段と、
前記ブラックを含む複数の色成分で示される色信号と前記測色して得られたデバイスに従属しない色データとの対応関係を求める手段と、
ブラックを含まない３色成分で示される信号を前記ブラックを含む複数の色成分で示される色信号に変換する条件、および前記ブラックを含む複数の色成分で示される色信号と前記測色して得られたデバイスに従属しない色データとの前記対応関係に基づき、前記ブラックを含まない３色成分で示される信号と前記測色して得られたデバイスに従属しない色データとの対応関係を求める手段と、
前記ブラックを含まない３色成分で示される色信号と前記測色して得られたデバイスに従属しない色データとの前記対応関係と、前記ブラックを含まない３色成分で示される信号を前記ブラックを含む複数の色成分で示される色信号に変換する前記条件とに基づき、デバイスに従属しない色データを前記ブラックを含む複数の色成分で示される色信号に変換する変換条件を求める手段とを有することを特徴とする画像処理装置。
【請求項５】
プログラムを記録されている記録媒体であって、
ブラックを含む複数の色成分で示される色信号に基づき出力デバイスにカラーパッチを形成させ、
前記カラーパッチを測色して得られたデバイスに従属しない色データを入力し、
前記ブラックを含む複数の色成分で示される色信号と前記測色して得られたデバイスに従属しない色データとの対応関係を求め、
ブラックを含まない３色成分で示される信号を前記ブラックを含む複数の色成分で示される色信号に変換する条件、および前記ブラックを含む複数の色成分で示される色信号と前記測色して得られたデバイスに従属しない色データとの前記対応関係に基づき、前記ブラックを含まない３色成分で示される色信号と前記測色して得られたデバイスに従属しない色データとの対応関係を求め、
前記ブラックを含まない３色成分で示される色信号と前記測色して得られたデバイスに従属しない色データとの前記対応関係と、前記ブラックを含まない３色成分で示される信号を前記ブラックを含む複数の色成分で示される色信号に変換する前記条件とに基づき、
デバイスに従属しない色データを前記ブラックを含む複数の色成分で示される色信号に変換する変換条件を求めるプログラムが記録されていることを特徴とする記録媒体。
【手続補正２】
【補正対象書類名】明細書
【補正対象項目名】０００６
【補正方法】変更
【補正の内容】
【０００６】
本発明は、ブラックを含む複数の色成分で示される色信号に基づき出力デバイスにカラーパッチを形成させ、前記カラーパッチを測色して得られたデバイスに従属しない色データを入力し、前記ブラックを含む複数の色成分で示される色信号と前記測色して得られたデバイスに従属しない色データとの対応関係を求め、ブラックを含まない３色成分で示される信号を前記ブラックを含む複数の色成分で示される色信号に変換する条件、および前記ブラックを含む複数の色成分で示される色信号と前記測色して得られたデバイスに従属しない色データとの前記対応関係に基づき、前記ブラックを含まない３色成分で示される信号と前記測色して得られたデバイスに従属しない色データとの対応関係を求め、前記ブラックを含まない３色成分で示される色信号と前記測色して得られたデバイスに従属しない色データとの前記対応関係と、前記ブラックを含まない３色成分で示される信号を前記ブラックを含む複数の色成分で示される色信号に変換する前記条件とに基づき、デバイスに従属しない色データを前記ブラックを含む複数の色成分で示される色信号に変換する変換条件を求めることを特徴とする。